(57)【要約】      （修正有）【課題】一つの駆動源によって可動役物に異なる動作を実行させることが可能な構成の可動役物ユニットを提供する。【解決手段】可動役物ユニットは、一端部がケース本体１１１に枢結されて他端部が上記枢結部を中心として揺動自在に取り付けられた役物本体１６０と、役物本体１６０の他端部側に取り付けられて互いに近接する閉位置と離間する開位置との間でスライド移動可能な一対の可動部材１８０とを備え、スライド部材１４０によるスライド開始位置から中間位置までの直線運動を可動役物１５０の揺動運動に変換し、スライド部材１４０による中間位置からスライド終了位置までの直線運動を可動役物１５０における一対の可動部材１８０のスライド運動に変換する。【選択図】図１５
2014061189.tif 000002
【特許請求の範囲】
【請求項１】
ベース部材と、
前記ベース部材に取り付けられて所定の演出動作を実行する可動役物と、
前記可動役物を動作させるための駆動源と、
前記駆動源の駆動力によって前記ベース部材上で移動開始位置から中間位置を経て移動終了位置まで直線的に移動する移動部材と、
前記移動部材の移動位置に応じて前記駆動源の駆動力を前記可動役物に伝達して前記可動役物を動作させる駆動伝達手段と、を備える可動役物ユニットであって、
前記可動役物は、一端部が前記ベース部材に枢結されて他端部が前記枢結部を中心として揺動自在に取り付けられた役物本体と、前記役物本体の前記他端部側に取り付けられて互いに近接する閉位置と離間する開位置との間でスライド移動可能な第１可動部及び第２可動部とを備え、
前記駆動伝達手段は、前記移動部材による前記移動開始位置から前記中間位置までの直線運動を前記可動役物の揺動運動に変換する第１駆動伝達手段と、前記移動部材による前記中間位置から前記移動終了位置までの直線運動を前記可動役物における前記第１可動部及び前記第２可動部のスライド運動に変換する第２駆動伝達手段とを備えて構成されることを特徴とする可動役物ユニット。
【請求項２】
前記移動部材は、前記移動部材の移動方向と交差する方向に延びるメインガイド孔及びサブガイド孔を有し、
前記第１駆動伝達手段は、前記役物本体に設けられて前記メインガイド孔に係合するメイン突起を有し、
前記第２駆動伝達手段は、前記役物本体に前記第１及び第２可動部のスライド移動方向と直交する方向に移動自在に支持される駆動体と、前記移動部材に設けられて前記サブガイド孔に係合するサブ突起と、前記役物本体に設けられて前記駆動体の移動運動を前記第１可動部及び前記第２可動部のスライド運動に変換する可動部駆動機構と、を有し、
前記移動部材が前記移動開始位置から前記中間位置まで移動するときは、前記メイン突起が前記メインガイド孔に係合しながら移動することで、前記メイン突起と一体となって前記可動役物が揺動し、
前記移動部材が前記中間位置から前記移動終了位置まで移動するときは、前記サブ突起が前記サブガイド孔に係合しながら前記駆動体と一体となって移動することで、前記可動部駆動機構によって前記可動役物における前記第１可動部及び前記第２可動部がスライド移動することを特徴とする請求項１に記載の可動役物ユニット。
【発明の詳細な説明】
【技術分野】
【０００１】
本発明は、例えば遊技機に取り付けられて遊技の展開状況に応じた演出動作を実行する可動役物ユニットに関する。
【背景技術】
【０００２】
遊技機の代表例としてぱちんこ遊技機は、遊技領域を構成する遊技盤のほぼ中央にセンター飾りを配置し、このセンター飾りに液晶ディスプレイ等の演出表示装置を備えたものが一般的に知られており、遊技領域内に設けられた始動入賞口に遊技球が入球したことを契機として、演出表示装置において複数の図柄（装飾図柄）を変動させた後に停止表示したときの図柄の組み合わせが予め設定された当たり図柄であった場合、特別遊技状態（大当たり）を成立させるように構成されている。この特別遊技状態においては、遊技領域内に設けられたアタッカーと称される大入賞口を開放して遊技球の入球を容易にし、これにより遊技者が大量の賞球を獲得できるようになっている。
【０００３】
一方、演出表示装置における抽選結果を示唆する演出表示のみでは遊技に興趣性を持たせることが難しく、単調な遊技内容となりやすい。そこで、遊技領域に演出表示装置と共に、遊技の展開状況に応じて所要の演出動作を実行する可動役物ユニットを設け、この可動役物ユニットを演出表示装置上で行われる演出表示と同期・融合させて適時動作させることにより、視覚的な演出効果をさらに向上させるようにした構成が知られている（例えば、特許文献１を参照）。
【先行技術文献】
【特許文献】
【０００４】
【特許文献１】特開２０１１−１３９７６６号公報
【発明の概要】
【発明が解決しようとする課題】
【０００５】
上記特許文献１に記載の可動役物ユニットは、所定長さの刀部と該刀部を被覆する一対の鞘部とを有して形成される刀役物と、刀役物全体を所定の揺動軸を中心として上下に揺動させるための第１駆動モータと、一対の鞘部を互いに近接・離間する方向にスライド移動させて刀部を開閉させるための第２駆動モータと、を有して構成されている。このように、従来の可動役物ユニットにおいては、刀役物全体の揺動運動と一対の鞘部の開閉運動（スライド運動）との２つの動作を各々独立して実行させるのに、各動作に対応して複数の駆動源（第１駆動モータ、第２駆動モータ）を設置する必要があったため、製造コストや部品点数の増大、ひいては可動役物ユニット全体の大型化を招来する結果となっていた。
【０００６】
本発明は、このような課題に鑑みてなされたものであり、一つの駆動源によって可動役物に異なる動作を実行させることが可能な構成の可動役物ユニットを提供することを目的とする。
【課題を解決するための手段】
【０００７】
このような目的達成のために、本発明に係る可動役物ユニットは、ベース部材（例えば、実施形態におけるユニットケース１１０）と、ベース部材に取り付けられて所定の演出動作を実行する可動役物と、可動役物を動作させるための駆動源（例えば、実施形態における駆動モータ１２０）と、駆動源の駆動力によってベース部材上で移動開始位置から中間位置を経て移動終了位置まで直線的に移動する移動部材（例えば、実施形態におけるスライド部材）と、移動部材の移動位置に応じて駆動源の駆動力を可動役物に伝達して可動役物を動作させる駆動伝達手段と、を備える可動役物ユニットであって、可動役物は、一端部がベース部材に枢結されて他端部が上記枢結部を中心として揺動自在に取り付けられた役物本体と、役物本体の他端部側に取り付けられて互いに近接する閉位置と離間する開位置との間でスライド移動可能な第１可動部及び第２可動部（例えば、実施形態における可動部材１８０）とを備え、駆動伝達手段は、移動部材による移動開始位置から中間位置までの直線運動を可動役物の揺動運動に変換する第１駆動伝達手段（例えば、実施形態におけるメイン突起１６３等）と、移動部材による中間位置から移動終了位置までの直線運動を可動役物における第１可動部及び第２可動部のスライド運動に変換する第２駆動伝達手段（例えば、実施形態におけるサブ突起１７４等）とを備えて構成される。
【発明の効果】
【０００８】
本発明に係る可動役物ユニットによれば、一つの駆動源によって可動役物に異なる演出動作を連続的に実行させることが可能である。
【図面の簡単な説明】
【０００９】
【図１】本実施形態に係る第１可動役物ユニットを備えたぱちんこ遊技機の正面図である。
【図２】ぱちんこ遊技機の背面図である。
【図３】ぱちんこ遊技機に装着される遊技盤の正面図である。
【図４】第１可動体役物ユニットの斜視図である。
【図５】第１可動役物ユニットの正面図である。
【図６】第１可動役物ユニット（ケース蓋を脱着した状態）の正面図である。
【図７】第１可動役物ユニット（ケース蓋を脱着した状態）の背面図である。
【図８】第１可動役物ユニットの機構部を示すための正面図である。
【図９】（ａ）は第１可動役物ユニットのケース蓋の正面図、（ｂ）はケース蓋の背面図である。
【図１０】（ａ）は第１可動役物ユニットにおける可動役物及びスライド部材が係合した状態の正面図、（ｂ）は可動役物及びスライド部材が係合した状態の背面図である。
【図１１】（ａ）は可動役物の正面図、（ｂ）は可動役物の背面図である。
【図１２】（ａ）は第１可動役物ユニットにおけるスライド部材の正面図、（ｂ）はスライド部材の背面図である。
【図１３】第１可動役物ユニットが初期位置にある状態を示す正面図である。
【図１４】第１可動役物ユニットが揺動限界位置にある状態を示す正面図である。
【図１５】第１可動役物ユニットが最大可動位置にある状態を示す正面図である。
【図１６】本実施形態に係る第２可動役物ユニットの斜視図である。
【図１７】第２可動役物ユニットの正面図である。
【図１８】第２可動役物ユニットの右側面図である。
【図１９】第２可動役物ユニット（ケース保持板を脱着した状態）の右側面図である。
【図２０】第２可動役物ユニットの表示面を説明するための模式図である。
【図２１】（ａ）は第２可動役物ユニットの第１基準位置を示す正面図、（ｂ）は第２可動役物ユニットの第１基準位置を示す右側面図である。
【図２２】（ａ）は第２可動役物ユニットの第２基準位置を示す正面図、（ｂ）は第２可動役物ユニットの第２基準位置を示す右側面図である。
【発明を実施するための形態】
【００１０】
以下、本発明の好ましい実施形態について図面を参照して説明する。本実施形態に係る可動役物ユニットを備えた遊技機の代表例として、ぱちんこ遊技機ＰＭの斜視図及び背面図を図１及び図２に示すとともに、ぱちんこ遊技機ＰＭに装着される遊技盤１０の正面図を図３に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａ及び下球皿６ｂ）が設けられており、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
遊技盤１０は、ルータ加工等を施した矩形状の積層合板に、所定の図柄が印刷されたセルを貼り付けて成型される化粧板を基板として構成される。遊技盤１０の前面には、図３に示すように、外レール及び内レールが円弧状に固設されて遊技球が転動可能な略円形の遊技領域ＰＡが区画形成され、この遊技領域ＰＡに風車や多数本の遊技釘とともに、特図始動口１１、普図作動口１２、大入賞口１３などの各種入賞口の他、特別図柄表示装置１４、普通図柄表示装置１５などの各種表示装置が設けられている。遊技領域ＰＡの略中央にはセンター飾り２０が配設されており、このセンター飾り２０の中央開口を通して演出表示装置（例えば、液晶パネル）２１の画面が視認可能に設けられている。遊技領域ＰＡの下端には各入賞口に入球せずに転動流下した遊技球を遊技盤１０の裏側へ排出するためのアウト口１９が設けられている。以下、遊技盤１０に設けられた各構成要素を順番に説明する。
【００１５】
特図始動口１１は、遊技球の入球を検出するための入賞検出器１１ａと、始動口を拡開させるための普通電動役物ソレノイド１１ｂと、を備える。特図始動口１１は普通電動役物により形成され、その入口が拡開可能となっている。普通電動役物が拡開状態にあるときには、遊技球は特図始動口１１に入球容易となる。この特図始動口１１への遊技球の入球は、大当り（特別遊技）を発生させるための特別図柄抽選の契機となる。
【００１６】
普図作動口１２は、遊技球の入球を検出するための入賞検出器１２ａを備える。なお、普図作動口１２への遊技球の通過は、特図始動口１１の普通電動役物を拡開させるか否かを決定するための普通図柄抽選の契機となる。
【００１７】
大入賞口１３は、遊技球の入球を検出するための入賞検出器１３ａと、大入賞口１３を拡開させるための大入賞口ソレノイド１３ｂと、を備える。大入賞口１３の内側は、特定領域（いわゆるＶゾーン）と一般領域に区画されている。入賞検出器１３ａは、遊技球の特定領域の通過を検出するセンサと、一般領域の通過を検出するセンサを備えて構成される。大入賞口ソレノイド１３ｂは、大入賞口１３に遊技球が入球不能又は入球困難な通常状態と遊技球が入球し易い開放状態とに大入賞口１３を可変させる。
【００１８】
特別図柄表示装置１４は、特図遊技に対応する特別図柄の変動表示及び停止表示を行う。特別図柄表示装置１４は、例えば７セグメントＬＥＤで構成され、特別図柄は「０」〜「９」の１０種類の数字及びハズレの「−」で表示される。普通図柄表示装置１５は、普通図柄の変動表示及び停止表示を行う。演出表示装置２１は、主として、特別図柄と連動して変動・停止する装飾図柄や予告表示を含む演出画像の変動表示及び停止表示を行う。
【００１９】
最後に、センター飾り２０は、演出表示装置２１の周囲に設置され、遊技球の流路、演出表示装置２１の画面の保護、装飾等の機能を有する。センター飾り２０には、遊技の展開状況に応じて点灯、点滅し視覚的な演出効果を高めるための盤面電飾装置２２や、遊技の展開状況に応じた演出動作を実行する第１可動役物ユニット１００及び第２可動役物ユニット２００などが設けられている。
【００２０】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板４１及び演出制御基板４２が裏セットカバー３０Ｃにより覆われる）。
【００２１】
裏セット盤３０の各部には、多数個の遊技球を貯留する貯留タンク３１、貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００２２】
遊技盤１０の背面側には、ぱちんこ遊技機ＰＭの作動を統括的に制御する主制御基板（主制御基板ケースユニット）４１や、遊技展開に応じた画像表示、効果照明、効果音等の演出全般の制御を行う演出制御基板（演出制御基板ケースユニット）４２などが取り付けられている。これに対して、裏セット盤３０の背面側には、遊技球の発射及び払い出しに関する制御を行う払出制御基板（払出制御基板ケースユニット）４３や、遊技施設側から受電して各種制御基板や電気・電子部品に電力を供給する電源基板（電源基板ケースユニット）４４などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００２３】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００２４】
遊技領域ＰＡを転動流下する遊技球が、特図始動口１１、普図作動口１２、大入賞口１３の各入賞口に入球すると、その入賞口の種別に応じた賞球が賞球払出ユニット３３により上球皿６ａ又は下球皿６ｂに払い出される。遊技球が特図始動口１１に入球すると、特別図柄表示装置１４において特別図柄が変動表示され、演出表示装置２１において装飾図柄が変動表示される。特別図柄、装飾図柄の変動表示は、先だって抽選によって決定された変動時間の経過後に停止される。ここで、演出表示装置２１による装飾図柄の変動表示中、可動役物ユニット１００，２００が所定の動作パターンに従って可動演出を実行する。そして、停止後の特別図柄が大当たりを示す図柄である場合、演出表示装置２１では、３つの図柄が一致した表示態様（例えば、「７・７・７」）がとられる。図柄が大当たり図柄で停止すると、通常遊技よりも遊技者に有利な特別遊技が実行される。
【００２５】
特別遊技では、大入賞口１３が、約３０秒間開放された後、又は１０球以上の遊技球が入球した後で一旦閉鎖される。大入賞口１３の開放中に遊技球が特定領域へ少なくとも１球落入した場合、大入賞口１３は再度開放される。このように大入賞口１３が１回開放される間に遊技球が少なくとも１球以上特定領域へ落入することを条件として大入賞口１３の開閉が所定回数、例えば１５回繰り返される。
【００２６】
なお、普図作動口１２に遊技球が入球すると、普通図柄表示装置１５において、所定時間、普通図柄と称される図柄が変動表示される。普通図柄の変動表示が停止すると、所定の確率で特図始動口１１の普通電動役物が所定時間だけ拡開する。そのため、遊技球が一時的に特図始動口１１に入球し易くなる。
【００２７】
［第１可動役物ユニットの構成］
次に、第１可動役物ユニット１００の構成について図４〜図１２を参照しながら説明する。ここで、図４は第１可動役物ユニット１００の斜視図、図５は第１可動役物ユニットの正面図、図６はケース蓋を脱着した状態の第１可動役物ユニット１００の正面図、図７はケース蓋を脱着した状態の第１可動役物ユニット１００の背面図、図８は第１可動役物ユニット１００の機構部を示すための正面図、図９（ａ）はケース蓋の正面図、図９（ｂ）はケース蓋の背面図、図１０（ａ）は可動役物及びスライド部材が係合した状態の正面図、図１０（ｂ）は可動役物及びスライド部材が係合した状態の背面図、図１１（ａ）は可動役物の正面図、図１１（ｂ）は可動役物の背面図、図１２（ａ）はスライド部材の正面図、図１２（ｂ）はスライド部材の背面図である。以下の説明においては、説明の便宜上、前後左右および上下の方向は、ぱちんこ遊技機ＰＭへの取付状態での方向を基準に定義しており、図４に示す矢印の方向をそれぞれ前後、左右、上下と称して説明する。
【００２８】
第１可動役物ユニット１００は、当該ユニットのベースとなる縦長方形箱状のユニットケース１１０と、可動役物ユニット１００の駆動源である駆動モータ１２０と、駆動モータ１２０の回転駆動力を伝達する歯車機構１３０と、ユニットケース１１０に往復動自在に支持されたスライド部材１４０と、ユニットケース１１０に設けられて遊技盤１０と平行な面内で演出動作する可動役物１５０と、を主体として構成される。
【００２９】
ユニットケース１１０は、可動役物１５０の取付ベースとなるケース本体１１１と、ケース本体１１１の前面側に着脱自在に取り付けられるケース蓋１１５とを有して形成される。ケース本体１１１及びケース蓋１１５は共に、例えばポリカーボネート（ＰＣ）等の透明な樹脂材料を用いて射出成形等の成形手段により図示する形状に形成される。
【００３０】
ケース本体１１１は、縦長の矩形板状に形成されており、複数本のビスを用いてセンター飾り２０の正面左側部に着脱される。ケース本体１１１には、可動役物１５０を揺動自在に支持するための円孔状の軸孔１１１ａ（図７を参照）が前方に向けて開口形成されるとともに、この軸孔１１１ａを中心として同心円弧状に形成された揺動案内突起１１１ｂが前方に向けて突設されている。また、ケース本体１１１には、可動役物１５０と当接して可動役物１５０の揺動を制限するための上下の緩衝部材１１２，１１３が取り付けられている。緩衝部材１１２，１１３としては、例えば、ウレタンやシリコンゴム等の各種ゴム部材やポリウレタンフォーム等の樹脂発泡体が適用される。
【００３１】
ケース蓋１１５は、正面視略Ｌ字形に形成されており、ケース本体１１１の前面側における可動役物１５０の可動範囲を除く部分を覆って着脱自在に取り付けられる。ケース蓋１１５の後面側には、スライド部材１４０のスライド移動を案内するためのスライド案内溝１１５ａ（図９を参照）が左右方向に延びて形成されている。また、ケース蓋１１５の後面側には、左右方向（スライド部材１４０のスライド方向）に延びる長孔状の検出片通過溝１１５ｂが形成されており、この検出片通過溝１１５ｂの左端部にスライド部材１４０のスライド開始位置（可動役物１５０の初期位置）を検出するための第１検出センサ１１６が取り付けられ、検出片通過溝１１５ｂの右端部にスライド部材１４０のスライド終了位置（可動役物１５０の最大可動位置）を検出するための第２検出センサ１１７が取り付けられている。各検出センサ１１６，１１７は、光を投光する投光部と、投光部からの光を受光する受光部とを有し、略コ字形に配置されたフォトセンサである。各検出センサ１１６，１１７の検出信号は演出制御基板４２に送信され、演出制御基板４２によって可動役物１５０が初期位置又は最大可動位置に存在することが判定される。
【００３２】
駆動モータ１２０は、例えばステッピングモータから構成されており、演出制御基板４２からの駆動信号に基づいてスピンドル１２１を正逆両方向に回転可能である。この駆動モータ１２０は、ケース本体１１１の後面側のモータ取付部にネジ止め固定されており、ケース本体１１１に前後貫通するスピンドル挿通孔（図示せず）を通してスピンドル１２１がケース本体１１１の前面側に突出するようになっている。
【００３３】
歯車機構１３０は、駆動モータ１２０のスピンドル１２１に直結する駆動歯車１３１と、この駆動歯車１３１と外接噛合する従動歯車１３２と、従動歯車１３２の前端側に一体的且つ同心状に設けられた第１ピニオンギヤ１３３と、からなる。ここで、駆動モータ１２０のスピンドル１２１の先端部は外周面の一部が平坦に面取りされて断面視Ｄ字状に形成（すなわちＤカット）されており、このスピンドル１２１の先端部が同一の穴形状を有する駆動歯車１３１の中心孔に嵌入されて連結される。従動歯車１３２はケース本体１１１の前面側に回転可能に軸支されており、第１ピニオンギヤ１３３は従動歯車１３２と一体的に回転可能に構成されている。
【００３４】
スライド部材１４０は、略矩形板状に形成されており、ケース本体１１１の前面側下部において左右方向にスライド移動可能に構成されている。スライド部材１４０には、共に前後に貫通して長孔状に形成されたメインガイド孔１４１及びサブガイド孔１４２が設けられている。メインガイド孔１４１は、右端から左端へ向けて下方に傾斜する略直線状の第１メインガイド孔部１４１ａと、この第１メインガイド孔部１４１ａの終端からスライド部材１４０のスライド方向と平行に延びる略直線状の第２メインガイド孔部１４１ｂと、から形成されている。サブガイド孔１４２は、円弧状に屈曲する第１サブガイド孔部１４２ａと、この第１サブガイド孔部１４２ａの終端からスライド部材１４０のスライド方向と直交する上方に向けて延びる略直線状の第２サブガイド孔部１４２ｂと、から形成されている。スライド部材１４０の後面側には、当該スライド部材１４０のスライド方向（左右方向）に沿って延出する第１ラックギヤ１４３が形成されている。この第１ラックギヤ１４３は、第１ピニオンギヤ１３３と噛合可能であり、第１ピニオンギヤ１３３と協働作用して第１のラックアンドピニオン機構を構成する。この第１のラックアンドピニオン機構によって、駆動モータ１２０の回転運動がスライド部材１４０の直線運動に変換される。
【００３５】
また、スライド部材１４０の前面側には、左右一対の円筒状のスライド案内部１４４が前方に突出形成されており、このスライド案内部１４４がケース蓋１１５のスライド案内溝１１５ａに挿入されてスライド部材１４０のスライド移動が円滑に案内されるようになっている。スライド部材１４０の前面側には、このスライド部材１４０のスライド開始位置及び終了位置（可動役物１５０の初期位置及び最大可動位置）を第１及び第２検出センサ１１６，１１７によって検出するための板状の検出片１４５が前方に突出形成されており、この突出片１４５がケース蓋１１５背面の検出片通過溝１１５ｂに受容されている。
【００３６】
可動役物１５０は、遊技盤１０と平行な面内でユニットケース１１０に揺動自在に枢結された役物本体１６０と、この役物本体１６０の上部に取り付けられて互いに近接・離間する方向（以降では「開閉方向」とも称する）にスライド移動可能に支持された一対の可動部材１８０と、を備えて構成される。
【００３７】
この役物本体１６０は、ケース本体１１１の軸孔１１１ａよりも幾分小径に形成されて後方に向けて突出する円筒状の軸部１６１を有しており、この軸部１６１が軸孔１１１ａに挿入支持されることで可動役物１６０が軸部１６１を中心として揺動変位可能に構成されている。また、役物本体１６０の後面側には、ケース本体１１１の揺動案内突起１１１ｂが挿入される円弧状の揺動案内溝１６８が形成されている。この役物本体１６０は、反時計回り方向に揺動して上部緩衝部材１１３と当接する初期位置と、時計周り方向に揺動して下部緩衝部材１１４と当接する揺動限界位置と、の間で変位可能である。
【００３８】
役物本体１６０の前面側の上部には、一対の可動部材１８０を動作させるための左右一対の第２ピニオンギヤ１６２，１６２がそれぞれ回転自在に軸支されている。また、役物本体１６０の前面側の下部には、スライド部材１４０のメインガイド孔１４１に係合する円筒状のメイン突起１６３が軸支されるとともに、後述する開閉駆動体１７０の移動を案内するための円筒状の軸ピン１６４が前方に突出形成されている。メイン突起１６３の基端側（後端側）には、薄肉大径のフランジ部１６３ａが一体的に形成されている。また、役物本体１６０の前面側には、役物本体１６０の長手方向（図８では上下方向）に相対移動可能に支持された開閉駆動体１７０が取り付けられている。
【００３９】
開閉駆動体１７０は、上下方向に延びる長孔状の支持溝１７１ａが形成された駆動体基部１７１と、この駆動体基部１７１の上端からクランク状に屈曲する連結部１７２ａを介して駆動体基部１７１に一体的に繋がって上方に延びるラック部１７２と、を備えている。開閉駆動体１７０の後面側には、上下方向に延びる板状の案内片１７３が後方に突設されており、この案内片１７３が役物本体１６０の案内溝１６５に挿入されるとともに、基部１７１の支持溝１７１ａ内に役物本体１６０の軸ピン１６４が挿入されることで、役物本体１６０に対する開閉駆動体１７０の相対移動が案内されるようになっている。開閉駆動体１７０における基部１７１の前面側には、スライド部材１４０のサブガイド孔１４２に係合する円筒状のサブ突起１７４が軸支されている。このサブ突起１７４の基端側（後端側）には薄肉大径のフランジ部１７４ａが一体的に形成されている。ここで、メイン突起１６３は役物本体１６０の揺動中心となる軸部１６１の中心よりも上方に位置し、サブ突起１７４は軸部１６１の中心よりも下方に位置している。
【００４０】
開閉駆動体１７０のラック部１７２には、このラック部１７２の軸方向（図８では上下方向）に沿って延びる左右一対の第２ラックギヤ１７３，１７３が背中合わせの状態で互いに反対方向を向いた配設姿勢で形成されている。第２ラックギヤ１７３は、第２ピニオンギヤ１６２と噛合可能であり、第２ピニオンギヤ１６２と協働作用して第２のラックアンドピニオン機構を構成する。すなわち、役物本体１６０に対して開閉駆動体１７０のラック部１７２が軸方向に相対移動したとき、左右の第２ラックギヤ１７３，１７３にそれぞれ噛合する左右の第２ピニオンギヤ１６２，１６２が互いに逆方向へ回転するようになっている。
【００４１】
なお、役物本体１６０の前面側において左右一対の可動部材１８０の中間位置には、略円形状の第１装飾部１６９ａ及び剣先形状の第２装飾部１６９ｂからなる固定装飾部１６９が役物本体１６０にネジ止め固定されている。固定装飾部１６９には、透光性を有する合成樹脂材料を用いて細長板状に形成された連結アーム１５９の一端部（上端部）が枢結されている。
【００４２】
一対の可動部材１８０は、図５等に示す初期位置において左右ほぼ対称の外形をなしており、役物本体１６０の上部に取り付けられて役物本体１６０の長手方向（図８では上下方向）と直交する開閉方向（図８では左右方向）にスライド移動自在に支持された可動板部１８１と、この可動板部１８１の前面側に固定されて可動板部１８１と一体的にスライド移動する可動装飾部１８９と、をそれぞれ備えている。
【００４３】
一対の可動板部１８１は、それぞれ略矩形板状に形成されており、互いに対向する端部同士が近接する閉位置と、互いに対向する端部同士が離間する開位置（この開位置が、「可動役物１５０の最大可動位置」ともなる）と、の間でスライド変位可能なように役物本体１６０の前面側の上部に支持されている。可動板部１８１の下端には、可動部材１８０の開閉方向（図８では左右方向）に延びる第３ラックギヤ１８２が形成されている。第３ラックギヤ１８２は、第２ピニオンギヤ１６２と噛合可能であり、第２ピニオンギヤ１６２と協働作用して第３のラックアンドピニオン機構を構成する。また、可動板部１８１の後面側には、可動部材１８０の開閉方向に沿って直線状に延びる摺動突起（図示せず）が形成されており、この摺動突起が役物本体１６０の摺動溝（図示せず）に受容されて可動板部１８１のスライド移動が円滑に案内される。
【００４４】
可動装飾部１８９は、第１外装部１８９ａ及び第２外装部１８９ｂからなり、全体として武器のツノ（角）を模した装飾体を構成している。可動装飾部１８９の略中央には、連結アーム１５９の他端部（下端部）が枢結されており、これにより可動装飾部１８９と固定装飾部１６９との間に連結アーム１５９が跨設され、可動部材１８０の開閉方向へのスライド移動に連動して連結アーム１５９が上下に揺動変位するようになっている。
【００４５】
なお、可動役物１５０とケース本体１１１との間には、可動役物１５０を初期位置側へ常時付勢（テンションを付与）して可動役物１５０による揺動運動のガタツキを防止するためのスプリング１１４が取り付けられている。
【００４６】
次に、本実施形態に係る第１可動役物ユニット１００の作用について図１３〜図１５を追加参照して説明する。本実施形態では、可動役物１５０は、初期位置（図１３を参照）→揺動限界位置（図１４を参照）→最大可動位置（図１５を参照）の順に変位する。ここで、図１３は可動役物１５０が初期位置にある状態の正面図、図１４は可動役物１５０が揺動限界位置にある状態の正面図、図１５は可動役物１５０が最大可動位置にある状態の正面図である。
【００４７】
まず、駆動モータ１２０が停止して可動役物１５０が動作前の初期位置にある状態では、可動役物１５０全体が略鉛直上方を向いた垂直姿勢に保持されており、一対の可動部材１８０，１８０は互いに近接対向する閉位置に保持されている（なお、このとき可動役物１５０はセンター飾り２０の左側部背後に隠蔽されて演出表示装置２１の画面前方に露出しない）。このように可動役物１５０が初期位置で停止しているときは、スライド部材１４０はケース本体１１１の左端（スライド開始位置）で待機しており、メイン突起１６３はスライド部材１４０の第１メインガイド孔部１４１ａの始端で静止し、サブ突起１７４は第１サブガイド孔部１４２ａの始端で静止している。このとき、スライド部材１４０の前面側に突設された検出片１４５が第１検出センサ１１６の投光部と受光部との間の光路を遮光し、第１検出センサ１１６によって可動役物１５０の初期位置が検出される。ここで、可動役物１５０の演出動作は、演出制御基板４２により決定された所定の動作パターンに従って、全て初期位置から動作を開始して最終的には初期位置に復帰するよう設定され、演出表示装置２１における１回の装飾図柄の変動中に完結するよう構成されている。なお、上記の動作パターンには、可動役物１５０の動作内容が、例えば、駆動モータ１２０のステップ数、駆動速度、回転方向、動作時間等により規定されている。
【００４８】
かかる状態から演出制御基板４２からの駆動信号に基づいて駆動モータ１２０が回転駆動すると、その回転駆動力が駆動モータ１２０のスピンドル１２１に直結された駆動ギヤ１３１を介して従動ギヤ１３２に伝達され、第１ピニオンギヤ１３３が従動ギヤ１３２と一体的且つ同心的に回転する。この第１ピニオンギヤ１３３の回転運動は、これに噛合するスライド部材１４０の第１ラックギヤ１４３によって直線運動に変換され、これによりスライド部材１４０がケース本体１１１の左端（スライド開始位置）から右方へ向かってスライド移動することとなる。
【００４９】
こうしてスライド部材１４０がスライド移動を開始すると、役物本体１６０のメイン突起１６３がスライド部材１４０の第１メインガイド孔部１４１ａと係合しながら右方向へ押圧され、可動役物１５０全体が軸部１６１を中心として時計回り方向へ揺動することとなる。このように可動役物１５０が軸部１６１を中心に時計回り方向に揺動すると、この可動役物１５０と一体となってメイン突起１６３も時計回り方向へ揺動変位することとなるが、このときメイン突起１６３は第１メインガイド孔部１４１ａの終端へ向けて移動する。他方、サブ突起１７４も可動役物１５０と一体となって反時計回り方向へ揺動するが、スライド部材１４０の第１サブガイド孔部１４２ａはサブ突起１７４の揺動軌跡に対応した円弧形状に整形されているため、サブ突起１７４は第１サブガイド孔部１４２ａ内を円弧を描くように通過するだけで役物本体１６０に対する相対的な位置変化を生じず（すなわち、役物本体１６０に対して開閉駆動体１７０は相対移動せず）、一対の可動部材１８０は互いに対向する端部同士が近接する閉位置の状態を保持する。
【００５０】
スライド部材１４０が所定の中間位置まで到達すると、可動役物１５０が時計周り方向へ最大角度（約４５°）まで傾倒して下部緩衝部材１１３に当接する揺動限界位置で揺動動作を停止する。可動役物１５０が揺動限界位置にある状態では、可動役物１５０はユニットケース１１０の右端部開口から演出表示装置２１の前面側に出現して表示画面の前方に露出した状態となる。なお、この状態では、メイン突起１６３はメインガイド孔１４１の方向転換部（第１メインガイド孔部１４１ａと第２メインガイド孔部１４１ｂとの合流地点）に位置し、サブ突起１７４はサブガイド孔１４２の方向転換部（第１サブガイド孔部１４２ａと第２サブガイド孔部１４２ｂとの合流地点）に位置している。
【００５１】
スライド部材１４０が上記の中間位置から更に右方へ向ってスライド移動すると、今度はサブ突起１７４が第２サブガイド孔部１４２ｂに係合しながらスライド部材１４０のスライド方向（右方向）へ押圧されるため、このサブ突起１７４のベースとなる開閉駆動体１７０が案内溝１６５に沿って役物本体１６０の長手方向（右斜め上方）へ相対移動し、開閉駆動体１７０のラック部１７２（第２ラックギヤ１７３）がこれに噛合する第２ピニオンギヤ１６２を回転させる。第２ピニオンギヤ１６２の回転運動は第３ラックギヤ１７３によって可動部材１８０の開閉方向への直線運動に変換され、一対の可動部材１８０が互いに離間する開位置へ向けて移動する。このとき、役物本体１６０に設けられたサブ突起１７４は第２サブガイド孔部１４２ｂと係合しながら現位置に保持されるため、役物本体１６０は時計回り方向に約４５°傾倒した揺動限界位置で停止保持される。
【００５２】
そして、スライド部材１４０がケース本体１１１の右端（スライド終了位置）までスライド変位したとき、可動役物１５０が演出表示装置２１の画面前方で時計回り方向へ最大角度（約４５°）だけ傾倒した揺動限界位置において一対の可動部材１８０が開位置にスライド変位した状態、すなわち、可動役物１５０が最大可動位置に到達した状態となる。このとき、スライド部材１４０の検出片１４５が第２検出センサ１１７の透光部と受光部との間の光路を遮光し、第２検出センサ１１７によって可動役物１５０の最大可動位置が検出される。
【００５３】
以上、本実施形態に係る第１可動役物ユニット１００によれば、駆動モータ１２０の駆動力によってスライド部材１４０をスライド開始位置から中間位置を経てスライド終了位置まで直線的に移動させ、スライド部材１４０によるスライド開始位置から中間位置までの直線運動を可動役物１５０の揺動運動に変換し、スライド部材１４０による中間位置からスライド終了位置までの直線運動を可動役物１５０における一対の可動部材１８０の開閉運動に変換するように構成することで、単一の駆動源のみで可動役物１５０に異なる演出動作を連続的に行わせることができるため、製造コストの低減、部品点数の削減、ひいては装置全体の小型化により省スペース化を図ることができるとともに、演出表示装置２１の演出画像と可動役物１５０の演出動作とを融合させて両者の演出における一体感および立体感を向上させ、遊技者に対して強いインパクトを与えることが可能になり、遊技者の遊技意欲を喚起するような遊技演出を行うことが可能となる。
【００５４】
［第２可動役物ユニットの構成］
次に、本発明とは直接的には関係しないが、単一の駆動源によって二つの可動役物を動作させる形態の第２可動役物ユニット２００の構成について図１６〜図２０を参照しながら説明する。ここで、図１６は第２可動役物ユニット２００の斜視図、図１７は可動役物ユニット２００の正面図、図１８は第２可動役物ユニット２００の右側面図、図１９は第２可動役物ユニット２００においてケース保持板を脱着した状態の右側面図、図２０は第２可動役物ユニット２００の表示面を説明するための模式図である。以下の説明においては、説明の便宜上、前後左右および上下の方向は、ぱちんこ遊技機ＰＭへの取付状態での方向を基準に定義しており、図１６に示す矢印の方向をそれぞれ前後、左右、上下と称して説明する。
【００５５】
第２可動役物ユニット２００は、当該ユニットのベースとなる縦長方形箱状のユニットケース２１０と、可動役物ユニット２００の駆動源である駆動モータ２２０と、駆動モータ２２０の回転駆動力を伝達する歯車機構２３０と、ユニットケース２１０内にそれぞれ回転自在に設けられた上下一対の第１可動役物２５０及び第２可動役物２６０と、を主体として構成される。
【００５６】
ユニットケース２１０は、可動役物２５０，２６０の取付ベースとなるケース本体２１１と、ケース本体２１１の前面側に着脱自在に取り付けられるケース蓋２１５とを有して形成される。ケース本体２１１及びケース蓋２１５は共に、例えば有色の樹脂材料を用いて射出成形等の成形手段により図示する形状に形成される。
【００５７】
ケース本体２１１は、ケース蓋２１５と対向する前面及び右側面が開放された縦長の矩形箱状に形成されており、複数本のビスを用いてセンター飾り２０の正面右側部に着脱される。ケース本体２１１の内部には、二つの可動役物２５０，２６０をそれぞれ回転自在に収容するための収容空間２１２が形成されている。ケース本体２１１の右側面には、このケース本体２１１の右側面開口を閉止して駆動モータ２２０及び歯車機構２３０等を保持するための縦長板状のケース保持板２１４が取り付けられている。
【００５８】
ケース蓋２１５は、ケース本体２１１と対向する後面が開放された縦長の薄い箱形に形成されており、複数本のビスを用いてケース本体２１１の前面側にビス止め固定されてケース本体２１１の前面開口を閉止し得るように構成されている。このケース蓋２１５の前面側には、可動役物２５０，２６０の表示面を前方に露出させるための略矩形状の窓部２１６，２１７が前後方向に開口されている。窓部２１６，２１７の左右の縁部には、透光性を有する合成樹脂材の表面に凹凸を形成する表面加工（光拡散処理）が施された拡散部材２４１，２４２の背後に位置して、光源としての発光体（例えば、フルカラーＬＥＤ）を実装した発光基板２４３，２４４がそれぞれ垂直姿勢で取り付けられている。
【００５９】
駆動モータ２２０は、例えばステッピングモータから構成されており、演出制御基板４２からの駆動信号に基づいてスピンドル２２１を正逆両方向に回転可能である。この駆動モータ２２０は、ケース保持板２１４のモータ取付部にネジ止め固定されており、ケース保持板２１４に表裏貫通するスピンドル挿通孔（図示せず）を通してスピンドル２２１がケース保持板２１４の裏面側、すなわちケース本体２１１内に突出するようになっている。
【００６０】
歯車機構２３０は、駆動モータ２２０のスピンドル２２１に連結する駆動歯車２３１と、この駆動歯車２３１とそれぞれ外接噛合する第１従動歯車２３２及び第２従動歯車２３３と、からなる。第１従動歯車２３２及び第２従動歯車２３３は、互いに略同一の歯車形状に形成されており、それぞれ回転軸Ｘを中心としてケース保持板２１４に回転自在に軸支されている。第１従動歯車２３２の左端部には第１可動役物２５０が回転軸Ｘ1を中心に同心状に取り付けられ、第２歯車２３３の左端部には第２可動役物２６０が回転軸Ｘ2を中心に同心状に取り付けられている。第１従動歯車２３２には、この第１従動歯車２３２の回転中心（回転軸Ｘ1）と同心円弧状に形成された第１検出片２３２ａが右方に向けて突設されており、第２従動歯車２３３には、この第２従動歯車２３３の回転中心（回転軸Ｘ2）と同心円弧状に形成された第２検出片２３３ａが右方に向けて突設されている。
【００６１】
可動役物２５０，２６０は、例えば透光性の樹脂材料を用いて射出成形等の成形手段によりサイコロ形状（正六面体形状）に形成されており、それぞれ回転軸Ｘ1，Ｘ2周りに配置された四つの面（「表示面」と称する）２５１，２６１に、文字や記号、ロゴ、図形等の遊技演出に関する情報が表示されている。なお、図２０に示すように、本実施形態では、説明を簡単にするために、第１可動役物２５０の四つの表示面２５１には回転軸Ｘ1周りに「Ａ」→「Ｂ」→「Ｃ」→「Ｄ」の文字が順番にそれぞれ表示されているものとし、第２可動役物２６０の四つの表示面２６１には回転軸Ｘ2周りに「ａ」→「ｂ」→「ｃ」→「ｄ」の文字が順番にそれぞれ表示されているものとする。
【００６２】
可動役物２５０，２６０は、ケース本体２１１の収容空間２１２内に回転軸Ｘ1，Ｘ2を中心としてそれぞれ回転自在に取り付けられており、この可動役物２５０，２６０の回転位置に応じて回転軸Ｘ1，Ｘ2周りに配置された四つの表示面２５１，２６１のうちの何れかの表示面２５１，２６１がケース蓋２１５の窓部２１６，２１７を通して外方からでも視認可能に露出される。この可動役物２５０，２６０の内部は空洞になっており、この空洞内に可動役物２５０，２６０の回転動作とは独立して所定の配設姿勢で静止保持される発光基板２５２，２６２が取り付けられている。
【００６３】
ここで、前述したように、二つの従動歯車２３２，２３３は略同一の歯車形状（同一の歯数）に形成されており、一つの駆動モータ２２０の回転駆動によって二つの可動役物２５０，２６０が互いに同期して回転動作し、第１可動役物２５０の回転位置と第２可動役物２６０の回転位置とが１：１の関係で対応するようになっている。具体的には、第１可動役物２５０の表示面「Ａ」が窓部２１６から露出されているときは第２可動役物２６０の表示面「ａ」が窓部２１７から露出され（この回転位置を「第１基準位置」と称する）、第１可動役物２５０の表示面「Ｂ」が窓部２１６から露出されているときは第２可動役物２６０の表示面「ｂ」が窓部２１７から露出され、第１可動役物２５０の表示面「Ｃ」が窓部２１６から露出されているときは第２可動役物２６０の表示面「ｃ」が窓部２１７から露出され（この回転位置を「第２基準位置」と称する）、第１可動役物２５０の表示面「Ｄ」が窓部２１６から露出されているときは第２可動役物２６０の表示面「ｄ」が窓部２１７から露出される、というように、第１可動役物２５０の表示面２５１と第２可動役物２６０の表示面２６１とが１：１の関係で対応している。
【００６４】
なお、ケース保持板２１４の上部には可動役物２５０，２６０の第１基準位置を検出するための第１検出センサ（第１検出センサ基板）２７１が取り付けられ、ケース保持板２１４の下部には可動役物２５０，２６０の第２基準位置を検出するための第２検出センサ（第２検出センサ基板）２７２が取り付けられている。ここで、前述したように、二つの従動歯車２３２，２３３は略同一の歯車形状に形成されているが、従動歯車２３２，２３３の回転位置の位相を互いに所定角度だけずらした状態で、各従動歯車２３２，２３３が各可動役物２５０，２６０にそれぞれ連結されている。
【００６５】
次に、本実施形態の第２可動役物ユニット２００の作用を図２１及び図２２を追加参照して説明する。ここで、図２１（ａ）は可動役物２５０，２６０の第１基準位置を示す正面図、図２１（ｂ）は可動役物２５０，２６０の第１基準位置を示す右側面図、図２２（ａ）は可動役物２５０，２６０の第２基準位置を示す正面図、図２２（ｂ）は可動役物２５０，２６０の第２基準位置を示す右側面図である。
【００６６】
第２可動役物ユニット２００において、駆動モータ２２０が回転駆動されると、その回転駆動力が駆動モータ２２０のスピンドル２２１に直結された駆動歯車２３１を介して第１従動歯車２３２及び第２従動歯車２３３に伝達され、第１可動役物２５０及び第２可動役物２６０が互いに同期しながら回転軸Ｘ1，Ｘ2を中心として回転動作される。
【００６７】
このとき、第１可動役物２５０及び第２可動役物２６０の表示面（窓部２１６，２１７から露出される表示面）２５１，２６１の組み合わせが「Ａ」−「ａ」である状態では、第１駆動歯車２３２の第１検出片２３２ａが第１検出センサ２７１の投光部と受光部との間の光路を遮光し、第１検出センサ２７１によって第１可動役物２５０及び第２可動役物２６０の第１基準位置が検出される。
【００６８】
他方、第１可動役物２５０及び第２可動役物２６０の表示面（窓部２１６，２１７から露出される表示面）２５１，２６１の組み合わせが「Ｃ」−「ｃ」である状態では、第２駆動歯車２３３の第２検出片２３３ａが第２検出センサ２７２の投光部と受光部との間の光路を遮光し、第２検出センサ２７２によって第１可動役物２５０及び第２可動部２６０の第２基準位置が検出される。
【００６９】
以上、本実施形態に係る第２可動役物ユニット２００によれば、単一の駆動源によって第１可動役物２５０及び第２可動役物２６０を互いに同期して回転動作させて、第１可動役物２５０及び第２可動役物２６０において互いに対向する表示面（表裏の関係にある表示面）の回転位置（第１基準位置及び第２基準位置）を可動役物２５０，２６０ごとに夫々個別に検出するのではなく、可動役物２５０，２６０の第１基準位置及び第２基準位置をそれぞれ一括して検出するため、可動役物ユニット２００に設置する検出センサの数を半減させることができ（各可動役物２５０，２６０に検出センサを２個ずつ設ける必要がなく）、製造コストの低減、部品点数の削減、ひいては装置全体の小型化により省スペース化を図ることができる。
【００７０】
以上、本発明の好ましい実施形態について説明してきたが、本発明は、上記実施形態に限定されるものではなく、本発明の要旨を逸脱しない範囲であれば適宜改良可能である。
【００７１】
上述の実施形態では、可動役物１５０の初期位置及び最大可動位置（開位置）のみを各検出センサ１１６，１１７によって検出する構成であったが、これに限定されるものではなく、初期位置及び最大可動位置に加えて、可動役物１５０の揺動限界位置も検出するように構成してもよい。
【００７２】
なお、上述の実施形態では、本発明をぱちんこ遊技機に適用した事例について説明したが、スロットマシンやアレンジボール機、雀球遊技機、封入式遊技機（所定個数の遊技球を機内に封入して循環使用する遊技機）などの他の遊技機に適用することができ、同様の効果を得ることができる。
【符号の説明】
【００７３】
ＰＭ  ぱちんこ遊技機
１００  第１可動役物ユニット（可動役物ユニット）
１１０  ユニットケース（ベース部材）
１２０  駆動モータ（駆動源）
１３０  歯車機構
１４０  スライド部材（移動部材）
１４１  メインガイド孔
１４２  サブガイド孔
１５０  可動役物
１６０  役物本体
１６１  軸部（枢結部）
１６２  第２ピニオンギヤ（可動部駆動機構）
１６３  メイン突起（駆動伝達手段、第１駆動伝達手段）
１７０  開閉駆動体（駆動伝達手段、駆動体）
１７４  サブ突起（駆動伝達手段、第２駆動伝達手段）
１８０  可動部材（第１可動部、第２可動部）
１８１  可動板部
１８２  第３ラックギヤ（可動部駆動機構）
【図１】
2014061189.tif 000003
【図２】
2014061189.tif 000004
【図３】
2014061189.tif 000005
【図４】
2014061189.tif 000006
【図５】
2014061189.tif 000007
【図６】
2014061189.tif 000008
【図７】
2014061189.tif 000009
【図８】
2014061189.tif 000010
【図９】
2014061189.tif 000011
【図１０】
2014061189.tif 000012
【図１１】
2014061189.tif 000013
【図１２】
2014061189.tif 000014
【図１３】
2014061189.tif 000015
【図１４】
2014061189.tif 000016
【図１５】
2014061189.tif 000017
【図１６】
2014061189.tif 000018
【図１７】
2014061189.tif 000019
【図１８】
2014061189.tif 000020
【図１９】
2014061189.tif 000021
【図２０】
2014061189.tif 000022
【図２１】
2014061189.tif 000023
【図２２】
2014061189.tif 000024